(57)【要約】【課題】携帯端末による他の通信システムの在否検索が不要なセル内では、無線基地局により、自動的に携帯端末を省電力化する。【解決手段】予め定められた数の携帯端末からの受信情報に基づいて、接続可能な他の通信システムが自局によるセル内に存在しないと判断される場合、無線基地局は、自局に帰属する全ての携帯端末に対して、他の通信システムの検索を停止させる停止通知を送信する。【選択図】図４
2012090174.tif 000002
【特許請求の範囲】
【請求項１】
携帯端末と無線通信を行う無線通信手段と、
予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を前記無線通信手段により送信するよう制御する停止制御手段と、を備えたことを特徴とする無線基地局。
【請求項２】
基地局制御装置と通信を行う通信手段と、
前記通信手段により、携帯端末に他の通信システムの検索を再開させる再開通知が受信された場合、自局に帰属する全ての携帯端末に対して、他の通信システムの検索を再開させる再開通知を前記無線通信手段により送信するよう制御する再開制御手段と、を備えたことを特徴とする請求項１記載の無線基地局。
【請求項３】
無線基地局と通信を行う無線通信手段と、
帰属先の無線基地局が含まれる通信システム以外の他通信システムについての在否検索を行う検索手段と、
前記検索手段による検索結果情報を前記無線基地局に対して前記無線通信手段に送信させると共に、他通信システムの検索を停止させる停止通知が前記無線通信手段により受信された場合、前記検索手段による在否検索を停止させるよう制御する制御手段と、を備えたことを特徴とする携帯端末。
【請求項４】
前記制御手段は、前記無線通信手段により他通信システムの検索を再開させる再開通知が受信された場合、前記検索手段による在否検索を再開させるよう制御することを特徴とする請求項３記載の携帯端末。
【請求項５】
前記制御手段は、前記無線通信手段により通信を行う帰属先の無線基地局が変更された場合、前記検索手段による在否検索を再開させるよう制御することを特徴とする請求項３または４記載の携帯端末。
【請求項６】
請求項１または２記載の無線基地局と、前記基地局制御装置と、請求項３から５の何れか１項に記載の携帯端末とを備えて構成されたことを特徴とする通信システム。
【請求項７】
無線基地局における通信制御方法であって、
予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を送信することを特徴とする通信制御方法。
【請求項８】
携帯端末における通信制御方法であって、
前記携帯端末は、帰属先の無線基地局が含まれる通信システム以外の他通信システムについての在否検索を行う検索手段を備え、
前記検索手段による検索結果情報を前記無線基地局に対して送信すると共に、他通信システムの検索を停止させる停止通知が前記無線基地局から受信された場合、前記検索手段による在否検索を停止することを特徴とする通信制御方法。
【請求項９】
無線基地局のプログラムであって、
予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を送信する手順を前記無線基地局に実行させることを特徴とする無線基地局のプログラム。
【請求項１０】
携帯端末のプログラムであって、
前記携帯端末は、帰属先の無線基地局が含まれる通信システム以外の他通信システムについての在否検索を行う検索手段を備え、
前記検索手段による検索結果情報を前記無線基地局に対して送信すると共に、他通信システムの検索を停止させる停止通知が前記無線基地局から受信された場合、前記検索手段による在否検索を停止する手順を前記携帯端末に実行させることを特徴とする携帯端末のプログラム。
【発明の詳細な説明】
【技術分野】
【０００１】
本発明は、複数の通信システムの在否検索を行う機能を備えた携帯端末、およびその携帯端末に対応した無線基地局、通信システム、通信制御方法、装置のプログラムに関する。
【背景技術】
【０００２】
一般に、移動通信システムとして、例えばＷ−ＣＤＭＡ（Wideband Code Division Multiple Access）やＧＳＭ（Global System for Mobile communications）など、各種の通信方式によるシステムが混在している。このため、こうした複数の通信システムに対して接続可能な、いわゆるマルチモードの携帯端末が知られている。
こうしたマルチモードの携帯端末は、接続可能な通信システムの在否検索を行いながら、接続する通信システムを切り替えたり、システム間のハンドオーバなどを行う。
【０００３】
このため、こうしたマルチモードの携帯端末は、特定の通信システム（例えばＷ−ＣＤＭＡ）しか存在しない地域であっても、携帯端末が他の通信システム（例えばＧＳＭ）の検索を実施するため、無駄な電力を消耗してしまう虞がある。
【０００４】
このため、携帯端末が、端末内の切り替え履歴に記録されていない無線基地局に帰属している場合、他の通信システムの在否検索の周期を長くするように制御するものがある（例えば、特許文献１参照）。
【０００５】
また、ユーザが基地局サーチ間隔を設定することにより、その設定値に基づいて他の通信システムの在否検索を行うものがある（例えば、特許文献２参照）。
【先行技術文献】
【特許文献】
【０００６】
【特許文献１】特開２００７−２７４１５２号公報
【特許文献２】特開２０１０−９８３６３号公報
【発明の概要】
【発明が解決しようとする課題】
【０００７】
しかしながら、特定の通信システムしか存在しない地域に固定された無線基地局による在圏エリア（セル）内に携帯端末が位置している場合、上述した特許文献１のように検索周期を長くしたとしても、その地域ではそもそも検索そのものが不要であると考えられる。このため、さらに省電力化できる余地があった。
【０００８】
また、上述した特許文献２のように、ユーザ設定による基地局サーチ間隔で検索を行うと、ユーザは設定操作に手間がかかってしまう。さらに、一般にユーザは、特定の通信システムしか存在しない地域がどの地域であるか知らないため、ユーザ設定により不要な検索を停止させて省電力化を図ることは困難であった。
【０００９】
本発明はこのような状況に鑑みてなされたものであり、携帯端末による他の通信システムの在否検索が不要なセル内では、無線基地局により自動的に携帯端末を省電力化することができる無線基地局、携帯端末、通信システム、通信制御方法、および装置のプログラムを提供することを目的とする。
【課題を解決するための手段】
【００１０】
かかる目的を達成するために、本発明に係る無線基地局は、携帯端末と無線通信を行う無線通信手段と、予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を無線通信手段により送信するよう制御する停止制御手段と、を備えたことを特徴とする。
【００１１】
また、本発明に係る携帯端末は、無線基地局と通信を行う無線通信手段と、帰属先の無線基地局が含まれる通信システム以外の他通信システムについての在否検索を行う検索手段と、検索手段による検索結果情報を無線基地局に対して無線通信手段に送信させると共に、他通信システムの検索を停止させる停止通知が無線通信手段により受信された場合、検索手段による在否検索を停止させるよう制御する制御手段と、を備えたことを特徴とする。
【００１２】
また、本発明に係る通信システムは、本発明に係る無線基地局と、基地局制御装置と、本発明に係る携帯端末とを備えて構成されたことを特徴とする。
【００１３】
また、本発明に係る通信制御方法は、無線基地局における通信制御方法であって、予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を送信することを特徴とする。
【００１４】
また、本発明に係る通信制御方法は、携帯端末における通信制御方法であって、携帯端末は、帰属先の無線基地局が含まれる通信システム以外の他通信システムについての在否検索を行う検索手段を備え、検索手段による検索結果情報を無線基地局に対して送信すると共に、他通信システムの検索を停止させる停止通知が無線基地局から受信された場合、検索手段による在否検索を停止することを特徴とする。
【００１５】
また、本発明に係る無線基地局のプログラムは、無線基地局のプログラムであって、予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を送信する手順を無線基地局に実行させることを特徴とする。
【００１６】
また、本発明に係る携帯端末のプログラムは、携帯端末のプログラムであって、携帯端末は、帰属先の無線基地局が含まれる通信システム以外の他通信システムについての在否検索を行う検索手段を備え、検索手段による検索結果情報を無線基地局に対して送信すると共に、他通信システムの検索を停止させる停止通知が無線基地局から受信された場合、検索手段による在否検索を停止する手順を携帯端末に実行させることを特徴とする。
【発明の効果】
【００１７】
以上のように、本発明によれば、携帯端末による他の通信システムの在否検索が不要なセル内では、無線基地局により自動的に検索を停止させ、携帯端末の省電力化を図ることができる。
【図面の簡単な説明】
【００１８】
【図１】本発明の実施形態としての通信システムの構成例を示すブロック図である。
【図２】無線基地局２の構成例を示すブロック図である。
【図３】携帯端末３の構成例を示すブロック図である。
【図４】各携帯端末３に測定停止させる場合の動作例を示すシーケンス図である。
【図５】各携帯端末３に測定再開させる場合の動作例を示すシーケンス図である。
【図６】携帯端末３による測定再開の動作例を示すフローチャートである。
【発明を実施するための形態】
【００１９】
次に、本発明に係る無線基地局、携帯端末、通信システム、通信制御方法、および装置のプログラムを適用した一実施形態について、図面を用いて詳細に説明する。
【００２０】
まず、本実施形態の概略について説明する。
本実施形態では、複数の通信システムに対応した携帯端末からの他通信システム検索結果を元に、携帯端末による他通信システムの在否検索のための測定を実施するか停止するかを無線基地局が判断する。その判断結果を無線基地局が携帯端末に通知することにより、携帯端末は、在否検索のための測定を実施するか停止するかを決定する。
【００２１】
より詳述すると、まず、ある通信システム（例えばＷ−ＣＤＭＡ）に位置登録している携帯端末が他通信システム（例えばＧＳＭ）の在否検索のための測定を行い、測定結果を無線基地局に対して報告する。
【００２２】
無線基地局にて各携帯端末からの他通信システム測定結果を管理し、他通信システムの測定結果に基づき、所定数の携帯端末から他通信システムが存在しないとの報告が連続してあった場合に、それ以降は他通信システムの在否検索のための測定を行わないよう、自局に帰属している携帯端末すべてに停止通知を送信する。
【００２３】
各携帯端末はその停止通知を受信することによって、他通信システムの在否検索のための測定を停止する。
【００２４】
また、無線基地局は、他通信システム測定再開の通知を基地局制御装置から受信した場合に、自局に帰属している携帯端末すべてに他通信システム測定の再開通知を行う。各携帯端末はその通知を受信することによって、他通信システムの在否検索のための測定を再開する。
【００２５】
このため、特定の通信システムしか存在しない地域に固定された無線基地局に携帯端末が帰属している場合、その在圏エリア（セル）内では他通信システム測定を停止し、省電力化を図ることができる。
【００２６】
次に、本実施形態としての通信システムの構成例について、図面を参照して詳細に説明する。
図１は、本発明の実施形態としての通信システムの構成例を示すブロック図である。図１の例では、基地局制御装置１と無線基地局２とが１つずつ、携帯端末３が３つの場合について示す。
【００２７】
図１に示すように、本実施形態としての通信システムは、基地局制御装置１に、無線基地局２が接続され、その無線基地局２によるセル内に携帯端末３（３ａ，３ｂ，３ｃ，・・・）が在圏している。
【００２８】
携帯端末３ａ，３ｂ，３ｃ，・・・は、本実施形態の通信システムに位置登録され、無線基地局２に帰属していることとする。また、無線基地局２によるセルは、他の通信システムによるセル外に位置していることとする。
無線基地局２は基地局制御装置１によって管理される無線基地局とする。
【００２９】
図２は、無線基地局２の構成例を示す。この図２に示すように、無線基地局２は、通信部２１と、装置全体の制御を行う制御部２２と、記憶部２３とを備える。
【００３０】
通信部２１は、各携帯端末３と通信を行う無線通信部と、基地局制御装置１と通信を行う有線通信部とを備え、それぞれと同時に通信可能となっている。
【００３１】
記憶部２３は、各携帯端末３から受信した測定結果報告の管理情報などを、制御部２２の制御により記憶する。
【００３２】
無線基地局２は、こうした構成により、各携帯端末３から報告された他通信システム測定結果を用いて他通信システム測定の実施要否を制御部２２が判断し、測定不要と判断される場合、自局に帰属している携帯端末全てに対して他通信システム測定の停止通知を送信する。
【００３３】
図３は、携帯端末３の構成例を示す。この図３に示すように、携帯端末３は、通信部３１と、装置全体の制御を行う制御部３２と、記憶部３３と、ユーザ操作のための各種情報等を表示する表示部３４と、ユーザが操作入力を行う入力部３５とを備える。
【００３４】
通信部３１は、帰属先の無線基地局と無線通信を行うと共に、制御部３２の制御により、位置登録している本実施形態の通信システム以外の他通信システムの在否検索のための測定を行い、その測定結果を無線基地局２に対して報告する。
記憶部３３は、ユーザ情報等を記憶する。例えば携帯端末３が携帯電話の場合、不図示のマイクやスピーカによりユーザは通話を行う。
【００３５】
他通信システムの在否検索のための測定が必要となった場合、オペレータの入力等により基地局制御装置１は、無線基地局２に対して他通信システム測定の再開通知を送信する。無線基地局２は、自局に帰属している携帯端末３全てに対して他通信システムの在否検索のための測定の再開通知を送信する。
【００３６】
携帯端末３は、無線基地局２から再開通知を受信すると、他通信システムの在否検索を再開する。また、他の無線基地局２にハンドオーバした場合や、他のセル内への移動により帰属先の無線基地局が変更された場合にも、他通信システムの在否検索を再開する。
【００３７】
次に、本実施形態の通信システムによる動作について、図面を参照して詳細に説明する。
まず、携帯端末３ａから他通信システムの在否検索のための測定結果の報告があった場合の動作例について、図４のシーケンス図を参照して説明する。
【００３８】
携帯端末３ａは、位置登録している通信システム以外の他通信システムの在否検索のための測定（他通信システムのセル検出）を、所定周期などにより実施する（ステップＳ１）。
【００３９】
携帯端末３ａは、他通信システムの測定結果情報（他通信システムのセルの存在有無）を無線基地局２に対して送信する（ステップＳ２）。
【００４０】
無線基地局２は、携帯端末３ａから送信された他通信システムの測定結果情報に基づいて、他通信システムが存在するか（他通信システムのセルが存在するか）を判断する（ステップＳ３）。この判断は各通信システムに対する受信レベルを用いるなど公知のものであってよい。
【００４１】
無線基地局２は、携帯端末３ａからの測定結果情報により、他通信システムが存在しない（他通信システムのセルが存在しない）と判断した場合、携帯端末３ａを含めて予め定められた台数の携帯端末から同様の測定結果情報が連続して受信されているか否かを判断する（ステップＳ４）。
【００４２】
予め定められた台数の携帯端末３から同様の測定結果情報が連続して受信されている場合、無線基地局２は、自局によるセル内に他通信システムのセルが存在しない（他通信システムのセルが存在しない）と判断し、無線基地局２に帰属している携帯端末３全てに対して、他通信システムの在否検索のための測定を停止させる停止通知（測定不要通知）を送信する（ステップＳ５〜Ｓ７）。
【００４３】
各携帯端末３（３ａ，３ｂ，３ｃ，・・・）は、無線基地局２から停止通知を受信すると、位置登録している本実施形態の通信システム以外の他通信システムの在否検索のための測定を停止する。
【００４４】
次に、各携帯端末３に他通信システムの在否検索のための測定を再開させる場合の動作例について、図５のシーケンス図を参照して説明する。
【００４５】
例えば他通信システムのエリア拡大時など、システム管理者が、各携帯端末３による他通信システム測定が必要であると判断した場合、オペレータの入力等により、基地局制御装置１は、他通信システムの在否検索のための測定を再開させる再開通知を無線基地局２に対して送信する（ステップＳ１１）。
【００４６】
無線基地局２は、他通信システムの測定再開通知を受信すると、無線基地局２に帰属している携帯端末３全てに対して、他通信システムの在否検索のための測定を再開させる再開通知を送信する（ステップＳ１２〜Ｓ１４）。
【００４７】
各携帯端末３（３ａ，３ｂ，３ｃ，・・・）は、無線基地局２から再開通知を受信すると、位置登録している本実施形態の通信システム以外の他通信システムの在否検索のための測定を再開し、測定結果情報を無線基地局２に対して送信する。
【００４８】
次に、何れかの携帯端末３が、移動等により帰属先の無線基地局を変更された場合の動作例について、図６のフローチャートを参照して説明する。
【００４９】
まず、上述した図４の動作例のようにして、無線基地局２から他通信システムの在否検索のための測定を停止させる停止通知（測定不要通知）を受信すると（ステップＳ２１）、携帯端末３は、在否検索のための測定を停止する（ステップＳ２２）。
【００５０】
その後、例えばその携帯端末３が移動されたり、電波状態の変化によりハンドオーバしたりすることで、帰属先の無線基地局が変更された場合（ステップＳ２３）、携帯端末３は、在否検索のための測定を再開する（ステップＳ２４）。
【００５１】
帰属先の無線基地局が変更されたか否かは、帰属先の無線基地局固有のＩＤ情報の変更を確認するといった方法により実現することができる。
【００５２】
以上のように、上述した本発明の実施形態では、以下の効果が得られる。
【００５３】
まず、本実施形態では、複数の通信システム検索を実施できる携帯端末３から検索結果情報を受信することにより、無線基地局２が、他通信システムの在否検索のための測定を実施するか否かを判断する。測定不要と判断した場合、無線基地局２は、自局に帰属している全ての携帯端末３に他通信システムの在否検索のための測定を停止させる。
【００５４】
このため、無線基地局２によるセル内が他通信システムのセル外である（自局を含む通信システムしか存在しない）場合、そのセル内で無線基地局２に帰属する全ての携帯端末３に、他通信システムの在否検索のための不要な測定を停止させることができ、省電力化させることができる。
【００５５】
このように、存在しない通信システムに対する測定の実施頻度を全体として減少させることがでるため、携帯端末による無駄な電力消耗を防ぐことができる。
【００５６】
また、携帯端末３による他通信システムの在否検索のための測定が必要となった場合には、基地局制御装置１にオペレータが入力する等により、基地局制御装置１が無線基地局２に再開通知を送信する。そして無線基地局２が、自局に帰属している全ての携帯端末３に再開通知を送信することで、帰属している全ての携帯端末３に他通信システムの在否検索のための測定を再開させる。
【００５７】
このため、携帯端末３による他通信システムの在否検索のための測定が必要となった場合には、簡単な操作で、対象となるセル内の全ての携帯端末３に測定を再開させることができる。
【００５８】
また、何れかの携帯端末３が、移動等により帰属先の無線基地局を変更された場合、その携帯端末３は、他通信システムの在否検索のための測定を再開することができる。
【００５９】
なお、上述した各実施形態は本発明の好適な実施形態であり、本発明はこれに限定されることなく、本発明の技術的思想に基づいて種々変形して実施することが可能である。
【００６０】
例えば、上述した実施形態で通信システムに含まれる携帯端末３、無線基地局２、基地局制御装置１それぞれの数は、説明のための一例であり、任意の数であっても、本発明は同様に実現することができる。
【００６１】
また、上述した実施形態では、他通信システムの在否検索のための測定を停止させる停止通知（測定不要通知）や再開させる再開通知（測定再開通知）を、各携帯端末３に個別にユニキャストで送信することとして説明したが、このことに限定されず、例えば無線基地局２が、自局に帰属している携帯端末３全てにマルチキャストで送信する構成であっても、本発明は同様に実現することができる。
【００６２】
また、上述した各実施形態としての無線基地局２や携帯端末３を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００６３】
この本発明に係るプログラムによれば、当該プログラムによって制御される無線基地局や携帯端末に、上述した実施形態における各機能を実現させることができる。
【００６４】
〔付記〕
上記の実施形態の一部または全部は、以下の付記のようにも記載されうるが、以下に限定されるものではない。
【００６５】
〔付記１〕
携帯端末と無線通信を行う無線通信手段と、
予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を前記無線通信手段により送信するよう制御する停止制御手段と、を備えたことを特徴とする無線基地局。
【００６６】
〔付記２〕
基地局制御装置と通信を行う通信手段と、
前記通信手段により、携帯端末に他の通信システムの検索を再開させる再開通知が受信された場合、自局に帰属する全ての携帯端末に対して、他の通信システムの検索を再開させる再開通知を前記無線通信手段により送信するよう制御する再開制御手段と、を備えたことを特徴とする付記１記載の無線基地局。
【００６７】
〔付記３〕
無線基地局と通信を行う無線通信手段と、
帰属先の無線基地局が含まれる通信システム以外の他通信システムについての在否検索を行う検索手段と、
前記検索手段による検索結果情報を前記無線基地局に対して前記無線通信手段に送信させると共に、他通信システムの検索を停止させる停止通知が前記無線通信手段により受信された場合、前記検索手段による在否検索を停止させるよう制御する制御手段と、を備えたことを特徴とする携帯端末。
【００６８】
〔付記４〕
前記制御手段は、前記無線通信手段により他通信システムの検索を再開させる再開通知が受信された場合、前記検索手段による在否検索を再開させるよう制御することを特徴とする付記３記載の携帯端末。
【００６９】
〔付記５〕
前記制御手段は、前記無線通信手段により通信を行う帰属先の無線基地局が変更された場合、前記検索手段による在否検索を再開させるよう制御することを特徴とする付記３または４記載の携帯端末。
【００７０】
〔付記６〕
付記１または２記載の無線基地局と、前記基地局制御装置と、付記３から５の何れか１項に記載の携帯端末とを備えて構成されたことを特徴とする通信システム。
【００７１】
〔付記７〕
無線基地局における通信制御方法であって、
予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を送信することを特徴とする通信制御方法。
【００７２】
〔付記８〕
携帯端末に他の通信システムの検索を再開させる再開通知が基地局制御装置から受信された場合、自局に帰属する全ての携帯端末に対して、他の通信システムの検索を再開させる再開通知を送信することを特徴とする付記７記載の通信制御方法。
【００７３】
〔付記９〕
携帯端末における通信制御方法であって、
前記携帯端末は、帰属先の無線基地局が含まれる通信システム以外の他通信システムについての在否検索を行う検索手段を備え、
前記検索手段による検索結果情報を前記無線基地局に対して送信すると共に、他通信システムの検索を停止させる停止通知が前記無線基地局から受信された場合、前記検索手段による在否検索を停止することを特徴とする通信制御方法。
【００７４】
〔付記１０〕
前記無線基地局から他通信システムの検索を再開させる再開通知が受信された場合、前記検索手段による在否検索を再開させることを特徴とする付記９記載の通信制御方法。
【００７５】
〔付記１１〕
帰属先の無線基地局が変更された場合、前記検索手段による在否検索を再開させることを特徴とする付記９または１０記載の通信制御方法。
【００７６】
〔付記１２〕
無線基地局のプログラムであって、
予め定められた数の携帯端末からの受信情報に基づいて、接続可能な他の通信システムが自局によるセル内に存在しないと判断される場合、自局に帰属する全ての携帯端末に対して、他の通信システムの検索を停止させる停止通知を送信する手順を前記無線基地局に実行させることを特徴とする無線基地局のプログラム。
【００７７】
〔付記１３〕
携帯端末に他の通信システムの検索を再開させる再開通知が基地局制御装置から受信された場合、自局に帰属する全ての携帯端末に対して、他の通信システムの検索を再開させる再開通知を送信する手順を前記無線基地局に実行させることを特徴とする付記１２記載の無線基地局のプログラム。
【００７８】
〔付記１４〕
携帯端末のプログラムであって、
前記携帯端末は、帰属先の無線基地局が含まれる通信システム以外の他通信システムについての在否検索を行う検索手段を備え、
前記検索手段による検索結果情報を前記無線基地局に対して送信すると共に、他通信システムの検索を停止させる停止通知が前記無線基地局から受信された場合、前記検索手段による在否検索を停止する手順を前記携帯端末に実行させることを特徴とする携帯端末のプログラム。
【００７９】
〔付記１５〕
前記無線基地局から他通信システムの検索を再開させる再開通知が受信された場合、前記検索手段による在否検索を再開させる手順を前記携帯端末に実行させることを特徴とする付記１４記載の携帯端末のプログラム。
【００８０】
〔付記１６〕
帰属先の無線基地局が変更された場合、前記検索手段による在否検索を再開させる手順を前記携帯端末に実行させることを特徴とする付記１４または１５記載の携帯端末のプログラム。
【符号の説明】
【００８１】
１    基地局制御装置
２    無線基地局
３    携帯端末
【図１】
2012090174.tif 000003
【図２】
2012090174.tif 000004
【図３】
2012090174.tif 000005
【図４】
2012090174.tif 000006
【図５】
2012090174.tif 000007
【図６】
2012090174.tif 000008